(57)【要約】【課題】搭乗者がエレベータを利用してフロア間を移動する場合、その搭乗者が装置の存在するフロアから離れるか否かに応じて、装置に対して所定の動作を実行させることができるエレベータ制御装置を提供する。【解決手段】エレベータに乗る人物を認識する認識部と、前記人物の移動先のフロアを特定するフロア特定部と、認識された前記人物に関連付けられた装置が存在するか否かを判定する装置判定部と、前記人物に関連付けられた装置が存在する場合において、前記フロア特定部が特定した前記人物の移動先のフロアと当該装置の存在するフロアとが同一であるか否かに基づいて、前記装置に所定の動作を実行させる動作実行部と、を備えるエレベータ制御装置。【選択図】図９
2018167964.tif 000002
【特許請求の範囲】
【請求項１】
エレベータに乗る人物を認識する認識部と、
前記人物の移動先のフロアを特定するフロア特定部と、
認識された前記人物に関連付けられた装置が存在するか否かを判定する装置判定部と、
前記人物に関連付けられた装置が存在する場合において、前記フロア特定部が特定した前記人物の移動先のフロアと当該装置の存在するフロアとが同一であるか否かに基づいて、前記装置に所定の動作を実行させる動作実行部と、
を備えるエレベータ制御装置。
【請求項２】
動作実行部は、
前記人物に関連付けられた装置が存在する場合において、前記フロア特定部が特定した前記人物の移動先のフロアと当該装置の存在するフロアとが同一である場合に前記装置を第１の状態から第２の状態へ変更させる所定の第１の動作を実行させる、
請求項１に記載のエレベータ制御装置。
【請求項３】
動作実行部は、
前記人物に関連付けられた装置が存在する場合において、前記フロア特定部が特定した前記人物の移動先のフロアと当該装置の存在するフロアとが同一でない場合に前記装置を前記第２の状態から前記第１の状態へ変更させる第２の動作を実行させる、
請求項２に記載のエレベータ制御装置。
【請求項４】
前記フロア特定部が特定した前記フロアに基づいて、前記エレベータ内における前記人物の立ち位置を表示させる第１表示制御部、
を備える請求項１に記載のエレベータ制御装置。
【請求項５】
前記認識部によって認識された前記人物の情報を表示させる第２表示制御部、
を備える請求項１または請求項２に記載のエレベータ制御装置。
【請求項６】
前記人物は従業員とゲストであり、前記人物を特定するために用いられる情報である人物識別情報と、前記従業員の属性情報と、前記装置と、前記装置が存在する前記フロアとを関連付けた人物情報を記憶する記憶部、
を備え、
前記動作実行部は、
前記フロア特定部から取得した人物識別情報と一致する人物識別情報が前記記憶部において存在するか否かに基づいて、前記人物が従業員であるかゲストであるかを判定する、
請求項１から請求項３の何れか一項に記載のエレベータ制御装置。
【請求項７】
請求項１から請求項４の何れか一項に記載のエレベータ制御装置と、
エレベータに乗る人物を特定するために用いられる情報である人物識別情報を取得し、取得した前記人物識別情報を前記エレベータ制御装置に出力するセンサと、
前記人物が乗る前記エレベータと、
を備えるエレベータ制御システム。
【請求項８】
エレベータに乗る人物を認識することと、
前記人物の移動先のフロアを特定することと、
認識された前記人物に関連付けられた装置が存在するか否かを判定することと、
前記人物に関連付けられた装置が存在する場合において、特定した前記人物の移動先のフロアと当該装置の存在するフロアとが同一であるか否かに基づいて、前記装置に所定の動作を実行させる動作実行部ことと、
を含む制御方法。
【請求項９】
コンピュータに、
エレベータに乗る人物を認識することと、
前記人物の移動先のフロアを特定することと、
認識された前記人物に関連付けられた装置が存在するか否かを判定することと、
前記人物に関連付けられた装置が存在する場合において、特定した前記人物の移動先のフロアと当該装置の存在するフロアとが同一であるか否かに基づいて、前記装置に所定の動作を実行させる動作実行部ことと、
を実行させるプログラム。
【発明の詳細な説明】
【技術分野】
【０００１】
本発明は、エレベータ制御装置、エレベータ制御システム、制御方法及びプログラムに関する。
【背景技術】
【０００２】
さまざまな機能を有するエレベータが考えられている。
特許文献１には、関連する技術として、利用者の操作なしに利用者の属性を判断し、利用者に対応した情報を提示するエレベータ情報提示システムに関する技術が記載されている。
【先行技術文献】
【特許文献】
【０００３】
【特許文献１】特許第６０２２１２４号公報
【発明の概要】
【発明が解決しようとする課題】
【０００４】
ところで、通信ネットワークに接続されるさまざまな装置がある。それらの装置を使用中のユーザは、会議など何らかの理由で装置の存在するフロアから離れなければならないことがある。このような場合、ユーザは、装置にロックをかけるなどの所定の動作をさせずにフロアから離れる可能性がある。
そのため、ユーザがエレベータを利用してフロア間を移動する場合、そのユーザ（すなわち搭乗者）が装置の存在するフロアから離れるか否かに応じて、装置に対して所定の動作を実行させることのできる技術が求められていた。
【０００５】
本発明は、上記の課題を解決することのできるエレベータ制御装置、エレベータ制御システム、制御方法及びプログラムを提供することを目的としている。
【課題を解決するための手段】
【０００６】
上記目的を達成するために、本発明の態様は、エレベータに乗る人物を認識する認識部と、前記人物の移動先のフロアを特定するフロア特定部と、認識された前記人物に関連付けられた装置が存在するか否かを判定する装置判定部と、前記人物に関連付けられた装置が存在する場合において、前記フロア特定部が特定した前記人物の移動先のフロアと当該装置の存在するフロアとが同一であるか否かに基づいて、前記装置に所定の動作を実行させる動作実行部と、を備えるエレベータ制御装置である。
【０００７】
また、本発明の別の態様は、上記のエレベータ制御装置と、エレベータに乗る人物を特定するために用いられる情報である人物識別情報を取得し、取得した前記人物識別情報を前記エレベータ制御装置に出力するセンサと、前記人物が乗る前記エレベータと、を備えるエレベータ制御システムである。
【０００８】
また、本発明の別の態様は、エレベータに乗る人物を認識することと、前記人物の移動先のフロアを特定することと、認識された前記人物に関連付けられた装置が存在するか否かを判定することと、前記人物に関連付けられた装置が存在する場合において、特定した前記人物の移動先のフロアと当該装置の存在するフロアとが同一であるか否かに基づいて、前記装置に所定の動作を実行させることと、を含む制御方法である。
【０００９】
また、本発明の別の態様は、コンピュータに、エレベータに乗る人物を認識することと、前記人物の移動先のフロアを特定することと、認識された前記人物に関連付けられた装置が存在するか否かを判定することと、前記人物に関連付けられた装置が存在する場合において、特定した前記人物の移動先のフロアと当該装置の存在するフロアとが同一であるか否かに基づいて、前記装置に所定の動作を実行させるプログラムである。
【発明の効果】
【００１０】
本発明によれば、搭乗者がエレベータを利用してフロア間を移動する場合、その搭乗者が装置の存在するフロアから離れるか否かに応じて、装置に対して所定の動作を実行させることができる。
【図面の簡単な説明】
【００１１】
【図１】本発明の第１の実施形態によるエレベータ制御システムの構成を示す図である。
【図２】本発明の第１の実施形態による操作対象装置の構成を示す図である。
【図３】本発明の第１の実施形態によるエレベータの構成を示す図である。
【図４】本発明の第１の実施形態によるエレベータ制御装置の構成を示す図である。
【図５】本発明の第１の実施形態によるエレベータ制御装置の処理フローを示す図である。
【図６】本発明の第２の実施形態によるエレベータ制御装置の構成を示す図である。
【図７】本発明の第２の実施形態による表示部の表示例を示す図である。
【図８】本発明の第２の実施形態によるエレベータ制御装置の処理フローを示す図である。
【図９】本発明の実施形態によるエレベータ制御装置の最小構成を示す図である。
【図１０】少なくとも１つの実施形態に係るコンピュータの構成を示す概略ブロック図である。
【発明を実施するための形態】
【００１２】
＜第１の実施形態＞
以下、図面を参照しながら実施形態について詳しく説明する。
本発明の第１の実施形態によるエレベータ制御システム１の構成について説明する。
本発明の第１の実施形態によるエレベータ制御システム１は、搭乗者が操作対象装置１０から離れるか近づくかに応じて操作対象装置１０に対して所定の動作をさせるシステムである。本発明の第１の実施形態において、搭乗者は従業員である。本発明の第１の実施形態によるエレベータ制御システム１は、図１に示すように、操作対象装置１０と、エレベータ２０と、センサ３０と、エレベータ制御装置４０と、を備える。
【００１３】
操作対象装置１０は、図２に示すように、通信部１０１と、処理部１０２と、制御部１０３と、を備える。操作対象装置１０は、例えば、従業員が使用するパーソナルコンピュータである。
【００１４】
通信部１０１は、エレベータ制御装置４０と通信を行う。
処理部１０２は、操作対象装置１０を使用するエレベータ２０の搭乗者（人物）による操作に応じて処理を行う。
制御部１０３は、エレベータ制御装置４０による制御の下、所定の動作を実行する。
【００１５】
エレベータ２０は、図３に示すように、エレベータ本体２０１と、ボタン２０２と、エレベータ移動機構２０３と、を備える。
【００１６】
エレベータ本体２０１は、搭乗者を乗せ、フロア間を移動する。
ボタン２０２は、エレベータ本体２０１の移動先のフロアを搭乗者が指定するためのボタンである。搭乗者により押下されたボタン２０２が示すフロア、すなわち、搭乗者が指定したフロアの情報は、エレベータ制御装置４０に出力される。ボタン２０２は、各フロアのエレベータホールに設けられ、そのフロア以外のすべてのフロアに対応するボタンから成る。
エレベータ移動機構２０３は、搭乗者によって押下されたボタン２０２が示すフロア、すなわち、搭乗者が指定した移動先のフロアにエレベータ本体２０１を移動させる。
【００１７】
センサ３０は、各搭乗者を特定するために用いられる情報である搭乗者識別情報（人物識別情報）を取得する。本発明の第１の実施形態によるセンサ３０は、例えば、カメラである。センサ３０がカメラである場合、センサ３０は、搭乗者識別情報として、例えばエレベータホールでボタン２０２を押下した搭乗者の顔の画像を取得する。また、本発明の別の実施形態によるセンサ３０は、例えば、指紋センサである。センサ３０が指紋センサである場合、センサ３０は、搭乗者識別情報として、エレベータホールのボタン２０２に設けられ、ボタン２０２を押下した搭乗者の指紋を取得する。
【００１８】
エレベータ制御装置４０は、図４に示すように、通信部４０１と、記憶部４０２と、認識部４０３と、フロア特定部４０４と、装置判定部４０５と、動作実行部４０６と、を備える。
【００１９】
通信部４０１は、操作対象装置１０と通信を行う。
記憶部４０２は、搭乗者識別情報と、操作対象装置１０の識別子と、操作対象装置１０が存在するフロアとを関連付けた搭乗者情報（人物情報）を記憶する。
【００２０】
認識部４０３は、センサ３０が取得した搭乗者識別情報と、記憶部４０２が記憶する搭乗者情報とに基づいて、エレベータ本体２０１に乗る搭乗者を認識する。
【００２１】
フロア特定部４０４は、センサ３０が取得した搭乗者識別情報と、押下されたボタン２０２が示すフロアとに基づいて、搭乗者の移動先のフロアを特定する。
【００２２】
装置判定部４０５は、認識された搭乗者に関連付けられた操作対象装置１０が存在するか否かを判定する。具体的には、装置判定部４０５は、認識部４０３が認識した搭乗者の搭乗者識別情報に関連づけられた操作対象装置１０の識別子が記憶部４０２に書き込まれているか否かを判定する。
【００２３】
動作実行部４０６は、搭乗者に関連付けられた操作対象装置１０が存在する場合において、フロア特定部４０４が特定した搭乗者の移動先のフロアと操作対象装置１０の存在するフロアとが同一であるか否かに基づいて、操作対象装置１０に所定の動作を実行させる。
【００２４】
次に、本発明の第１の実施形態によるエレベータ制御システム１の処理について説明する。
ここでは、搭乗者が操作対象装置１０の存在するフロアから他のフロアへ移動する場合と、他のフロアから操作対象装置１０の存在するフロアへ移動する場合の図５に示すエレベータ制御装置の処理フローについて説明する。
なお、ここでは、センサ３０がカメラであるものとしてエレベータ制御システム１の処理について説明する。
【００２５】
搭乗者が操作対象装置１０の存在するフロアから他のフロアへ移動するために、移動先を指定するボタン２０２を押下する。
ボタン２０２は、搭乗者によるボタン２０２の押下を検出する。ボタン２０２が押下されたフロアの情報は、エレベータ制御装置４０に出力される。このとき、センサ３０は、ボタン２０２を押下した搭乗者の搭乗者識別情報、すなわち、顔の画像を取得する。センサ３０は、取得した搭乗者識別情報をエレベータ制御装置４０に出力する。
【００２６】
認識部４０３は、センサ３０から搭乗者識別情報を取得する（ステップＳ１）。認識部４０３は、取得した搭乗者識別情報と、記憶部４０２が記憶する搭乗者情報とに基づいて、エレベータ本体２０１に乗る搭乗者を認識する（ステップＳ２）。具体的には、認識部４０３は、取得した搭乗者識別情報と類似する搭乗者識別情報を記憶部４０２が記憶する搭乗者情報において特定する。
認識部４０３は、搭乗者情報において特定した搭乗者識別情報をフロア特定部４０４及び装置判定部４０５に出力する。
【００２７】
フロア特定部４０４は、ボタン２０２から押下されたフロアの情報である移動先フロア情報を取得する（ステップＳ３）。また、フロア特定部４０４は、認識部４０３から搭乗者識別情報を取得する（ステップＳ４）。フロア特定部４０４は、取得した移動先フロア情報と取得した搭乗者識別情報とから、搭乗者識別情報の示す搭乗者の移動先が移動先フロア情報が示すフロアであると特定する（ステップＳ５）。
フロア特定部４０４は、特定した搭乗者識別情報と移動先フロア情報を動作実行部４０６に出力する。
【００２８】
装置判定部４０５は、認識部４０３から搭乗者識別情報を取得する。装置判定部４０５は、取得した搭乗者識別情報の示す搭乗者に関連付けられた操作対象装置１０が存在するか否かを判定する（ステップＳ６）。具体的には、装置判定部４０５は、記憶部４０２において、取得した搭乗者識別情報に関連づけられている操作対象装置１０が存在するか否かを判定する。
装置判定部４０５は、取得した搭乗者識別情報の示す搭乗者に関連付けられた操作対象装置１０が存在しないと判定した場合（ステップＳ６においてＮＯ）、ステップＳ１の処理に戻す。
装置判定部４０５は、取得した搭乗者識別情報の示す搭乗者に関連付けられた操作対象装置１０が存在すると判定した場合（ステップＳ６においてＹＥＳ）、操作対象装置１０が存在することを示す装置存在情報を動作実行部４０６に出力する。
【００２９】
動作実行部４０６は、フロア特定部４０４から搭乗者識別情報と移動先のフロアの情報を取得する。動作実行部４０６は、装置判定部４０５から装置存在情報を取得したか否かを判定する（ステップＳ７）。
動作実行部４０６は、装置判定部４０５から装置存在情報を取得しない場合（ステップＳ７においてＮＯ）、ステップＳ７の処理を繰り返す。
また、動作実行部４０６は、装置判定部４０５から装置存在情報を取得した場合（ステップＳ７においてＹＥＳ）、フロア特定部４０４から取得した搭乗者識別情報と類似する搭乗者識別情報を記憶部４０２が記憶する搭乗者情報において特定する。動作実行部４０６は、特定した搭乗者識別情報が含まれる搭乗者情報における操作対象装置１０が存在するフロアと、フロア特定部４０４から取得した移動先フロア情報が示す移動先のフロアとが同一であるか否かを判定する（ステップＳ８）。動作実行部４０６は、それらのフロアが同一であるか否かに基づいて、操作対象装置１０に所定の動作を実行させる。例えば、動作実行部４０６は、それらのフロアが同一ではないと判定した場合（ステップＳ８においてＮＯ）、フロアが同一ではない場合の所定の動作として、操作対象装置１０を例えばスリープ状態、シャットダウン状態、ロック状態など（第２の状態）にさせる動作指示を通信部４０１を介して操作対象装置１０に送信する（ステップＳ９）。制御部１０３は、エレベータ制御装置４０から通信部１０１を介して動作指示を受信し、動作指示に応じた動作を実行する。また、例えば、動作実行部４０６は、それらのフロアが同一であると判定した場合（ステップＳ８においてＹＥＳ）、フロアが同一である場合の所定の動作として、操作対象装置１０を例えばスリープ状態、シャットダウン状態、ロック状態など（第１の状態）から起動状態にさせる動作指示を通信部４０１を介して操作対象装置１０に送信する（ステップＳ１０）。制御部１０３は、エレベータ制御装置４０から通信部１０１を介して動作指示を受信し、動作指示に応じた動作を実行する。
なお、動作実行部４０６は、エレベータ本体２０１のフロア間の移動時間や搭乗者のフロア内の移動時間などに基づいて、搭乗者が操作対象装置１０の場所に到着するタイミングを特定し、特定したタイミングでの動作指示を操作対象装置１０に送信してもよい。
【００３０】
以上、本発明の第１の実施形態によるエレベータ制御システム１について説明した。本発明の第１の実施形態によるエレベータ制御装置４０において、認識部４０３は、エレベータ２０に乗る搭乗者（人物）を認識する。フロア特定部４０４は、搭乗者の移動先のフロアを特定する。装置判定部４０５は、認識された搭乗者に関連付けられた操作対象装置１０が存在するか否かを判定する。動作実行部４０６は、搭乗者に関連付けられた操作対象装置１０が存在する場合において、フロア特定部４０４が特定した搭乗者の移動先のフロアと操作対象装置１０の存在するフロアとが同一であるか否かに基づいて、操作対象装置１０に所定の動作を実行させる。
このようにすれば、エレベータ制御装置４０は、搭乗者がエレベータ２０を利用してフロア間を移動する場合、その搭乗者が操作対象装置１０の存在するフロアから離れるか否かに応じて、操作対象装置１０に対して所定の動作を実行させることができる。
例えば、エレベータ制御装置４０は、搭乗者の移動先が操作対象装置１０の存在しないフロアである場合、スリープ状態やシャットダウン状態にさせる動作指示を操作対象装置１０に送信することによって、消費電力を低減することができる。また、エレベータ制御装置４０は、搭乗者の移動先が操作対象装置１０の存在しないフロアである場合、ロック状態にさせる動作指示を操作対象装置１０に送信することによって、情報の漏えいを防止することができる。
また、例えば、エレベータ制御装置４０は、搭乗者の移動先が操作対象装置１０の存在するフロアである場合、スリープ状態、シャットダウン状態、ロック状態などから起動する状態にさせる動作指示を操作対象装置１０に送信することによって、搭乗者が操作対象装置１０の場所に到着するときに操作対象装置１０が起動し、搭乗者は待ち時間がなく操作対象装置１０を使用することができる。
【００３１】
＜第２の実施形態＞
本発明の第２の実施形態によるエレベータ制御システム１の構成について説明する。
本発明の第２の実施形態によるエレベータ制御システム１は、エレベータ２０に搭乗者が乗る場合に、各搭乗者の立ち位置と各搭乗者の属性を表示させるシステムである。搭乗者は従業員と従業員以外の人物（以下、「ゲスト」と記載）である。本発明の第２の実施形態によるエレベータ制御システム１は、本発明の第２の実施形態によるエレベータ制御システム１と同様に、操作対象装置１０と、エレベータ２０と、センサ３０と、エレベータ制御装置４０と、を備える。
【００３２】
エレベータ制御装置４０は、図６に示すように、通信部４０１と、記憶部４０２と、認識部４０３と、フロア特定部４０４と、装置判定部４０５と、動作実行部４０６と、第１表示制御部４０７と、第２表示制御部４０８と、を備える。
【００３３】
記憶部４０２は、搭乗者識別情報と、従業員の属性情報（例えば、従業員の所属及び従業員の氏名）と、操作対象装置１０の識別子と、操作対象装置１０が存在するフロアとを関連付けた搭乗者情報（人物情報）を記憶する。
【００３４】
動作実行部４０６は、フロア特定部４０４から取得した搭乗者識別情報と類似する搭乗者識別情報が記憶部４０２が記憶する搭乗者情報において存在するか否かを判定する。動作実行部４０６は、フロア特定部４０４から取得した搭乗者識別情報と類似する搭乗者識別情報が記憶部４０２が記憶する搭乗者情報において存在すると判定した場合、搭乗者識別情報が含まれる搭乗者情報における搭乗者を従業員と判定し、その属性情報（例えば、従業員の所属、従業員の氏名）を特定する。また、動作実行部４０６は、フロア特定部４０４から取得した搭乗者識別情報と類似する搭乗者識別情報が記憶部４０２が記憶する搭乗者情報において存在しないと判定した場合、搭乗者識別情報に対応する搭乗者をゲストと判定し、その属性情報（例えば、ゲストであること）を特定する。動作実行部４０６は、フロア特定部４０４から取得した移動先フロア情報を第１表示制御部４０７に出力する。また、動作実行部４０６は、特定した搭乗者の属性を示す搭乗者属性情報を第２表示制御部４０８に出力する。
【００３５】
第１表示制御部４０７は、エレベータ内の表示部に表示を表示させる機能部である。本発明の第２の実施形態において、表示部は、エレベータ本体２０１の床に埋め込まれている。本発明の別の実施形態では、表示部は、エレベータの壁などに設けられてもよい。第１表示制御部４０７は、フロア特定部４０４が特定したフロアに基づいて、エレベータ内における搭乗者の立ち位置を表示部に表示させる。例えば、第１表示制御部４０７は、図７に示すように、エレベータ本体２０１の床が予め定められた搭乗可能な人数で予め区画割りされ、エレベータ本体２０１の床に立ち位置を表示させる。また、第１表示制御部４０７は、上りエレベータである場合、より上の階に移動する搭乗者をエレベータ本体２０１の奥の方の床に立ち位置を表示させる。また、第１表示制御部４０７は、下りエレベータである場合、より下の階に移動する搭乗者をエレベータ本体２０１の奥の方の床に立ち位置を表示させる。また、第１表示制御部４０７は、エレベータ本体２０１がフロア間で移動する途中でエレベータに乗った搭乗者についてはエレベータの搭乗者のいない入口側のスペースのうち奥から順に床に立ち位置を表示させる。また、第１表示制御部４０７は、エレベータ本体２０１がフロア間で移動する途中で降りる人物がいた場合、その人物がエレベータ本体２０１から降りやすくするための通路ができるように、表示部に各搭乗者のエレベータ本体２０１内での移動先を矢印などで表示する。
【００３６】
第２表示制御部４０８は、エレベータ内の表示部に表示を表示させる機能部である。第２表示制御部４０８は、認識部４０３によって認識された搭乗者の情報を表示部に表示させる。例えば、第２表示制御部４０８は、図７に示すように、従業員の所属、従業員の氏名、ゲストであることなどを各搭乗者の立ち位置に表示させる。
【００３７】
次に、本発明の第２の実施形態によるエレベータ制御システム１の処理について説明する。
ここでは、図５に示したエレベータ制御装置の処理フローに続けて行われる、図８に示すエレベータ制御装置の処理フローについて説明する。
なお、ここでは、センサ３０がカメラであるものとしてエレベータ制御システム１の処理について説明する。
【００３８】
搭乗者が操作対象装置１０の存在するフロアから他のフロアへ移動するために、移動先を指定するボタン２０２を押下する。
ボタン２０２は、搭乗者によるボタン２０２の押下を検出する。ボタン２０２が押下されたフロアの情報は、エレベータ制御装置４０に出力される。このとき、センサ３０は、ボタン２０２を押下した搭乗者の搭乗者識別情報、すなわち、顔の画像を取得する。センサ３０は、取得した搭乗者識別情報をエレベータ制御装置４０に出力する。
【００３９】
エレベータ制御装置４０は、ステップＳ１〜ステップＳ１０の処理を行う。
動作実行部４０６は、フロア特定部４０４から取得した搭乗者識別情報と類似する搭乗者識別情報が記憶部４０２が記憶する搭乗者情報において存在するか否かを判定する（ステップＳ１１）。
動作実行部４０６は、フロア特定部４０４から取得した搭乗者識別情報と類似する搭乗者識別情報が記憶部４０２が記憶する搭乗者情報において存在すると判定した場合（ステップＳ１１においてＹＥＳ）、搭乗者識別情報が含まれる搭乗者情報における搭乗者を従業員と判定し、その属性情報（例えば、従業員の所属、従業員の氏名）を特定する（ステップＳ１２）。
また、動作実行部４０６は、フロア特定部４０４から取得した搭乗者識別情報と類似する搭乗者識別情報が記憶部４０２が記憶する搭乗者情報において存在しないと判定した場合（ステップＳ１１においてＮＯ）、搭乗者識別情報に対応する搭乗者をゲストと判定し、その属性情報（例えば、ゲストであること）を特定する（ステップＳ１３）。
動作実行部４０６は、フロア特定部４０４から取得した移動先フロア情報を第１表示制御部４０７に出力する。また、動作実行部４０６は、特定した搭乗者の属性を示す搭乗者属性情報を第２表示制御部４０８に出力する。
【００４０】
第１表示制御部４０７は、動作実行部４０６から移動先フロア情報（すなわち、フロア特定部４０４が特定した移動先のフロアを示す情報）を受け取る。第１表示制御部４０７は、受け取った移動先フロア情報に基づいて、エレベータ内の表示部に搭乗者の立ち位置を表示させる（ステップＳ１４）。
【００４１】
第２表示制御部４０８は、動作実行部４０６から搭乗者属性情報を受け取る。第２表示制御部４０８は、受け取った搭乗者属性情報に基づいて、エレベータ内の表示部に搭乗者の属性を表示させる（ステップＳ１５）。
【００４２】
以上、本発明の第２の実施形態によるエレベータ制御システム１について説明した。本発明の第２の実施形態によるエレベータ制御装置４０において、記憶部４０２は、搭乗者識別情報と、従業員の属性情報と、操作対象装置１０の識別子と、操作対象装置１０が存在するフロアとを関連付けた搭乗者情報を記憶する。動作実行部４０６は、フロア特定部４０４から取得した搭乗者識別情報と類似する搭乗者識別情報が記憶部４０２が記憶する搭乗者情報において存在するか否かを判定する。動作実行部４０６は、フロア特定部４０４から取得した搭乗者識別情報と類似する搭乗者識別情報が記憶部４０２が記憶する搭乗者情報において存在すると判定した場合、搭乗者識別情報が含まれる搭乗者情報における搭乗者を従業員と判定し、その属性情報を特定する。また、動作実行部４０６は、フロア特定部４０４から取得した搭乗者識別情報と類似する搭乗者識別情報が記憶部４０２が記憶する搭乗者情報において存在しないと判定した場合、搭乗者識別情報に対応する搭乗者をゲストと判定し、その属性情報を特定する。動作実行部４０６は、フロア特定部４０４から取得した移動先フロア情報を第１表示制御部４０７に出力する。また、動作実行部４０６は、特定した搭乗者の属性を示す搭乗者属性情報を第２表示制御部４０８に出力する。第１表示制御部４０７は、フロア特定部４０４が特定したフロアに基づいて、エレベータ内における搭乗者の立ち位置を表示させる。
このようにすれば、エレベータ制御装置４０は、エレベータ本体２０１において、搭乗者に立ち位置を従業員に知らせることができる。その結果、エレベータ制御装置４０は、利用者にエレベータ本体２０１の乗り降りを効率的に行わせることができる。
【００４３】
また、第２表示制御部４０８は、認識部４０３によって認識された搭乗者の情報を表示させる。
このようにすれば、エレベータ制御装置４０は、エレベータ本体２０１において、ゲストが存在するか否かを従業員に知らせることができる。また、エレベータ制御装置４０は、他部門に属する従業員が存在するか否かを従業員に知らせることができる。
その結果、従業員は、自部門の重要な情報をゲストや他部門の従業員前で話すことを防止することができる。
【００４４】
次に、本発明の実施形態による最小構成のエレベータ制御装置４０について説明する。
本発明の実施形態による最小構成のエレベータ制御装置４０は、図９に示すように、認識部４０３と、フロア特定部４０４と、装置判定部４０５と、動作実行部４０６と、を備える。
認識部４０３は、エレベータに乗る人物を認識する。
フロア特定部４０４は、エレベータに乗る人物の移動先のフロアを特定する。
装置判定部４０５は、認識されたエレベータに乗る人物に関連付けられた装置が存在するか否かを判定する。
動作実行部４０６は、エレベータに乗る人物に関連付けられた装置が存在する場合において、フロア特定部４０４が特定したエレベータに乗る人物の移動先のフロアと当該装置の存在するフロアとが同一であるか否かに基づいて、装置に所定の動作を実行させる。
このようにすれば、エレベータ制御装置４０は、搭乗者がエレベータを利用してフロア間を移動する場合、その搭乗者が装置の存在するフロアから離れるか否かに応じて、装置に対して所定の動作を実行させることができる。
【００４５】
なお、エレベータ制御システム１において、エレベータ本体２０１に搭乗する手前の位置にゲートなどを設け、認識部４０３が認識したエレベータに乗る人物を１人ずつ通過させることで、共連れによる搭乗を防止することができる。
【００４６】
なお、本発明の別の実施形態では、第２表示制御部４０８は、受け取った搭乗者属性情報に基づいて、エレベータ内の表示部に搭乗者の属性を色で表示させるものであってもよい。例えば、第２表示制御部４０８は、受け取った搭乗者属性情報に基づいて、エレベータ内に他部門の従業員がいる場合には黄色を表示部に表示させ、ゲストがいる場合には赤色を表示部に表示させてもよい。
【００４７】
なお、本発明の実施形態における処理は、適切な処理が行われる範囲において、処理の順番が入れ替わってもよい。
【００４８】
本発明の実施形態における記憶部４０２、その他の記憶部や記憶装置（レジスタ、ラッチを含む）のそれぞれは、適切な情報の送受信が行われる範囲においてどこに備えられていてもよい。また、記憶部４０２、その他の記憶部や記憶装置のそれぞれは、適切な情報の送受信が行われる範囲において複数存在しデータを分散して記憶していてもよい。
【００４９】
本発明の実施形態について説明したが、上述のエレベータ制御システム１、操作対象装置１０、エレベータ制御装置４０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図１０は、少なくとも１つの実施形態に係るコンピュータの構成を示す概略ブロック図である。
コンピュータ５は、図１０に示すように、ＣＰＵ６、メインメモリ７、ストレージ８、インターフェース９を備える。
例えば、上述のエレベータ制御システム１、操作対象装置１０、エレベータ制御装置４０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００５０】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００５１】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００５２】
本発明のいくつかの実施形態を説明したが、これらの実施形態は、例であり、発明の範囲を限定しない。これらの実施形態は、発明の要旨を逸脱しない範囲で、種々の追加、種々の省略、種々の置き換え、種々の変更を行ってよい。
【符号の説明】
【００５３】
１・・・エレベータ制御システム
５・・・コンピュータ
６・・・ＣＰＵ
７・・・メインメモリ
８・・・ストレージ
９・・・インターフェース
１０・・・操作対象装置
２０・・・エレベータ
３０・・・センサ
４０・・・エレベータ制御装置
１０１、４０１・・・通信部
１０２・・・処理部
１０３・・・制御部
２０１・・・エレベータ本体
２０２・・・ボタン
２０３・・・エレベータ移動機構
４０１・・・通信部
４０２・・・記憶部
４０３・・・認識部
４０４・・・フロア特定部
４０５・・・装置判定部
４０６・・・動作実行部
４０７・・・第１表示制御部
４０８・・・第２表示制御部
【図１】
2018167964.tif 000003
【図２】
2018167964.tif 000004
【図３】
2018167964.tif 000005
【図４】
2018167964.tif 000006
【図５】
2018167964.tif 000007
【図６】
2018167964.tif 000008
【図７】
2018167964.tif 000009
【図８】
2018167964.tif 000010
【図９】
2018167964.tif 000011
【図１０】
2018167964.tif 000012